(57)【特許請求の範囲】
【請求項１】
エンジンとこのエンジンに直結された駆動機能及び発電機能を有する車両用モータとを搭載したハイブリッド車両を設け、前記エンジンのエンジン回転数検出手段を設け、前記エンジンの負荷検出手段を設け、前記ハイブリッド車両の走行中に前記エンジン回転数検出手段及び負荷検出手段の検出するエンジン回転数及び負荷から発電運転指令値を検索して前記車両用モータを発電運転するよう使用される第１のマップを設け、前記ハイブリッド車両の走行中に前記負荷検出手段の検出する負荷が設定値を越えた場合に前記エンジン回転数及び負荷から駆動運転指令値を検索して前記車両用モータを駆動運転するよう使用される第２のマップを設け、手動により操作されて第２のマップ使用要求信号を入力する使用要求入力手段を設け、前記ハイブリッド車両の運転状態及びエンジンの運転状態に基づき前記車両用モータを駆動運転及び発電運転するよう制御し、前記使用要求入力手段により第２のマップ使用要求信号が入力されて第２のマップ使用条件が成立する場合に前記第２のマップの使用に切換えて前記車両用モータを駆動運転するよう制御し、前記第２のマップ使用条件の成立が設定回数以上となった場合に前記第２のマップ使用要求信号を無効とするよう制御する制御手段を設けたことを特徴とする車両用モータアシスト制御装置。
【発明の詳細な説明】
【０００１】
【発明の属する技術分野】
この発明は車両用モータアシスト制御装置に係り、特に、ハイブリッド車両の走行中に運転者の意志に基づくスムーズな加速を実現し得て、ドライバビリティを向上し得て、また、専用のマップを不要にし得て、システムの簡素化に寄与し得る車両用モータアシスト制御装置に関する。
【０００２】
【従来の技術】
車両には、動力源としてエンジンと車両用モータとを搭載した、いわゆるハイブリッド車両がある。ハイブリッド車両には、搭載するエンジンに駆動機能及び発電機能を有する車両用モータを直結して設け、この車両用モータの駆動状態及び発電状態をハイブリッド車両の運転状態及びエンジンの運転状態に基づき制御する車両用モータアシスト制御装置を設けているものがある。
【０００３】
このようなハイブリッド車両の車両用モータアシスト制御装置としては、特開平９−５８２９５号公報に開示されるものがある。
【０００４】
この公報に開示されるものは、機関出力軸に連結される電動機と、複数のモードの切替を行う手動切替手段と、アクセル操作量を検出するアクセル検出手段と、前記手動切替手段で設定されたモードに従い、アクセル操作量に対する前記電動機の出力トルク特性を制御する制御手段と、を有するものである。
【０００５】
【発明が解決しようとする課題】
ところで、ハイブリッド車両の車両用モータアシスト制御装置には、エンジンの特にスロットルバルブが全開の高負荷運転時に車両用モータを駆動運転してエンジンのアシストを継続するよう制御するものと、前記エンジンの高負荷運転時の初期にだけ車両用モータを駆動運転してエンジンのアシストを実行するよう制御するものとがある。
【０００６】
前者のエンジンの高負荷運転時に車両用モータによるアシストを継続する制御は、車両用モータの電池の容量が許す限り車両用モータを駆動する考え方による制御である。後者のエンジンの高負荷運転時初期にだけ車両用モータによるアシストを実行する制御は、非同期的に車両用モータを駆動して電池の消費を抑える考え方による制御である。
【０００７】
前者の制御の場合は、電池が完全放電されると、車両用モータを駆動することができない問題がある。一方、後者の制御の場合は、電池に余力があるため、必ずしも車両用モータによるアシストの恩恵をエンジンが充分に受けているとは限らない問題がある。
【０００８】
このため、従来の車両用モータアシスト制御装置は、ハイブリッド車両の走行中に運転者の意志に基づく車両用モータによるアシストを実現し得ず、スムーズな加速を実現し得ず、ドライバビリティを向上し得ない不都合がある。
【０００９】
また、前記特開平９−５８２９５号公報に開示されるものは、手動切替手段で複数のモードのうちの１つのモードを選択し、この選択されたモードに強制的に制御するものであるため、電池の過度な放電を招く不都合がある。
【００１０】
【課題を解決するための手段】
そこで、この発明は、上述不都合を除去するために、エンジンとこのエンジンに直結された駆動機能及び発電機能を有する車両用モータとを搭載したハイブリッド車両を設け、前記エンジンのエンジン回転数検出手段を設け、前記エンジンの負荷検出手段を設け、前記ハイブリッド車両の走行中に前記エンジン回転数検出手段及び負荷検出手段の検出するエンジン回転数及び負荷から発電運転指令値を検索して前記車両用モータを発電運転するよう使用される第１のマップを設け、前記ハイブリッド車両の走行中に前記負荷検出手段の検出する負荷が設定値を越えた場合に前記エンジン回転数及び負荷から駆動運転指令値を検索して前記車両用モータを駆動運転するよう使用される第２のマップを設け、手動により操作されて第２のマップ使用要求信号を入力する使用要求入力手段を設け、前記ハイブリッド車両の運転状態及びエンジンの運転状態に基づき前記車両用モータを駆動運転及び発電運転するよう制御し、前記使用要求入力手段により第２のマップ使用要求信号が入力されて第２のマップ使用条件が成立する場合に前記第２のマップの使用に切換えて前記車両用モータを駆動運転するよう制御し、前記第２のマップ使用条件の成立が設定回数以上となった場合に前記第２のマップ使用要求信号を無効とするよう制御する制御手段を設けたことを特徴とする。
【００１１】
【発明の実施の形態】
この発明の車両用モータアシスト制御装置は、制御手段によって、ハイブリッド車両の運転状態及びエンジンの運転状態に基づき車両用モータを駆動運転及び発電運転するよう制御し、使用要求入力手段により第２のマップ使用要求信号が入力されて第２のマップ使用条件が成立する場合に第２のマップの使用に切換えて車両用モータを駆動運転するよう制御し、第２のマップ使用条件の成立が設定回数以上となった場合に第２のマップ使用要求信号を無効とするよう制御することにより、ハイブリッド車両の走行中に、車両用モータに電源を供給する主電池の消費を発電運転により抑制しつつ、第２のマップ使用条件の成立範囲において運転者の意志に基づく車両用モータによるエンジンのアシストを実現することができ、また、既存の制御用のマップを利用して運転者の意志に基づく車両用モータによるアシストを実現することができ、さらに、運転者の手動操作による車両用モータのアシストに一定の制限を設けたため、主電池の過度の放電を回避することができる。
【００１２】
【実施例】
以下図面に基づいて、この発明の実施例を説明する。図１〜図６は、この発明の実施例を示すものである。図４において、２は図示しないハイブリッド車両に搭載されたエンジン、４はクラッチ、６はマニュアル式のトランスミッションである。エンジン２には、クラッチ４を介してトランスミッション６を連結して設けている。トランスミッション６は、複数段の、例えば５速の変速ギヤ（図示せず）を内蔵している。
【００１３】
前記エンジン２には、駆動機能及び発電機能を有する車両用モータ８（以下「モータ」と記す）を直結して設けている。モータ８は、エンジン２の図示しないクランク軸のフライホイール側に直結して設けている。なお、モータ８は、クランク軸のクランクスプロケット側に直結して設けることもできる。このモータ８は、ロータとステータコイルとを有している。
【００１４】
また、エンジン２には、発電用のオルタネータ１０とエアコン用のエアコンコンプレッサ１２と始動用のスタータモータ１４とモータ８冷却用のサブラジエータ１６のサブラジエータファン１８と電動水ポンプ２０とを設けている。オルタネータ１０とエアコンコンプレッサ１２とは、図示しないプーリ及びベルトによりクランク軸に連絡して設けている。スタータモータ１４は、図示しない係脱可能なピニオンとリングギヤとによりフライホイールに連絡して設けている。
【００１５】
前記ハイブリッド車両に搭載されたエンジン２は、エンジン制御手段２２により運転状態を制御される。また、ハイブリッド車両に搭載されたモータ８は、アシスト制御装置２４の制御手段であるモータ制御手段２６により駆動状態及び発電状態を制御される。
【００１６】
前記エンジン２は、エンジン制御用信号線２８によりにエンジン制御手段２２に接続されている。エンジン制御手段２２は、エンジン制御手段用電力線３０により副電池３２に接続されている。副電池３２は、前記オルタネータ１０に副電池充電用電力線３４により接続され、前記スタータモータ１４とサブラジエータファン１８と電動水ポンプ２０とに副電池駆動用電力線３６により接続されている。副電池３２は、オルタネータ１０の発電電力によりにより充電されるとともに、スタータモータ１４とサブラジエータファン１８と電動水ポンプ２０とに駆動電力を供給する。
【００１７】
前記モータ８は、モータ制御用信号線３８により前記モータ制御手段２６に接続されている。モータ制御手段２６は、モータ制御手段用副動力線４０により前記副電池３２に接続され、また、モータ制御手段用主動力線４２により主電池４４に接続されている。主電池４４は、モータ８に駆動電力を供給するとともに、モータ８の発電電力により充電される。
【００１８】
前記エンジン２を制御するエンジン制御手段２２は、図示しない燃料噴射制御部、点火時期制御部、ＩＳＣ（アイドルスピード）制御部（図示せず）等を有し、後述するエンジン回転数センサ６２、水温センサ６４等から入力する信号によりエンジン２の燃料噴射量、点火時期等を運転状態に応じて制御する。
【００１９】
前記モータ８を制御するモータ制御手段２６は、図５に示す如く、モータ制御部４６、モータ駆動部４８、入出力処理部（インターフェイス）５０、主電池状態管理部５２、フェイルセイフ部５４を有している。
【００２０】
モータ制御手段２６は、入力側にイグニションスイッチ５６、スタータスイッチ５８、車速センサ６０、エンジン回転数センサ６２、水温センサ６４、吸気圧センサ６６、アクセルセンサ６８、ブレーキスイッチ７０、クラッチスイッチ７２、主電池電圧検出器７４、使用要求入力手段である使用要求入力スイッチ７６を接続して設け、出力側にモータ８を接続して設けている。
【００２１】
モータ制御手段２６は、イグニションスイッチ５６〜使用要求入力スイッチ７６から入力する信号により、ハイブリッド車両の運転状態とエンジン２の運転状態とに基づきモータ８の駆動状態及び発電状態を制御する。
【００２２】
モータ制御手段２６によるモータ８の制御状態（モード）としては、図６に示す如く、
▲１▼、共通マップ制御：加速アシスト、減速回生発電制御（弱回生）…モード５
▲２▼、減速回生発電制御（強回生）…モード８
▲３▼、モータ運転停止制御（各移行条件成立待ち状態）
▲４▼、アイドリング発電制御…モード６（Ａ：停車中）、モード７（Ｂ：走行中）
▲５▼、特例制御１（発進アシスト）…モード１
▲６▼、特例制御２（始動アシスト）…モード２（待ち）、モード３（実行）
▲７▼、特例制御３（アイドル回転数安定化アシスト）…モード４
▲８▼、中回生発電制御…モード９
▲９▼、エンジン強制停止制御…モード１０
１０、マニュアルアシスト制御…モード１１
の１０種類を有している。
【００２３】
これらの制御状態は、車両の運転状態に基づき、以下のように遷移する。
１．制御状態▲１▼、▲２▼、▲４▼、▲８▼の実施中に、制御状態▲５▼、▲６▼、▲７▼、▲９▼への移行条件が成立した場合は、前記制御状態▲１▼、▲２▼、▲４▼、▲８▼を強制解除し、制御状態▲３▼のモータ運転停止を経て制御状態▲５▼、▲６▼、▲７▼、▲９▼に移行する。
２．特例制御１、２（▲５▼、▲６▼）は、他の特例制御３（▲７▼）に直接移行しない。
３．制御状態▲５▼、▲６▼、▲７▼、▲９▼は、移行後、解除条件が成立するまで他の制御条件に移行しない。但し、特例制御３（▲７▼）に限っては、解除条件が成立する前に特例制御１（▲５▼）への移行条件が成立した場合に、特例制御１（▲５▼）へ移行する。
【００２４】
これにより、モータ制御手段２６は、イグニションスイッチ５６〜使用要求入力スイッチ７６から入力する信号により、ハイブリッド車両の運転状態とエンジン２の運転状態とに基づきモータ８の駆動状態及び発電状態を、前記各種制御状態により制御する。
【００２５】
このハイブリッド車両のモータ８のアシスト制御装置２４は、図４・図５に示す如く、モータ制御手段２６にエンジン回転数検出手段たるエンジン回転数センサ６２と、負荷検出手段たるアクセルセンサ６８とを接続して設けている。
【００２６】
モータ制御手段２６は、ハイブリッド車両の走行中に、エンジン回転数センサ６２及びアクセルセンサ６８の検出するエンジン回転数及び負荷から発電運転指令値を検索し、モータ８を発電運転するよう使用される第１のマップ（図示せず）を記憶して設けている。また、モータ制御手段２６は、ハイブリッド車両の走行中に、アクセルセンサ６８の検出する負荷が設定値を越えた場合に、エンジン回転数及び負荷から駆動運転指令値を検索し、モータ８を駆動運転するよう使用される第２のマップ（図示せず）を記憶して設けている。これら第１マップ及び第２のマップは、図６の共通マップ制御（モード５）において使用されるマップである。
【００２７】
モータ制御手段２６は、ハイブリッド車両の走行中に使用されるこれら第１のマップ及び第２のマップを含み、ハイブリッド車両の運転状態及びエンジン２の運転状態に基づきモータ８を駆動運転及び発電運転するよう使用されるその他のマップ（図示せず）を設けている。モータ制御手段２６は、前記イグニションスイッチ５６〜使用要求入力スイッチ７６から入力する信号により、これら各種のマップを切換えて、ハイブリッド車両の運転状態とエンジン２の運転状態とに基づきモータ８の駆動状態及び発電状態を制御する。
【００２８】
また、モータ制御手段２６には、前記使用要求入力手段である使用要求入力スイッチ７６を接続して設けている。この使用要求入力スイッチ７６は、図２に示す如く、モータ制御手段２６の補助入力部ＡＵＸに接続され、手動によりＯＮ・ＯＦＦ操作される。使用要求入力スイッチ７６は、図３に示す如く、ＯＮ操作時に、前記第１のマップの使用から第２のマップの使用に切換えさせる第２のマップ使用要求信号である「Ｈ」信号を、モータ制御手段２６に入力する。一方、使用要求入力スイッチ７６は、ＯＦＦ操作時に、第２のマップ不使用要求信号である「Ｌ」信号を、モータ制御手段２６に入力する。
【００２９】
モータ制御手段２６は、使用要求入力スイッチ７６のＯＮ操作により「Ｈ」信号が入力されると、前記第１のマップの使用から第２のマップの使用に切換えさせる第２のマップ使用要求信号の入力と判断する。モータ制御手段２６は、使用要求入力スイッチ７６により第２のマップ使用要求信号が入力されて、第２のマップ使用条件が成立する場合に、第２のマップの使用に切換えてモータ８を駆動運転するよう制御する。
【００３０】
また、モータ制御手段２６は、ハイブリッド車量の走行中に加速アシスト制御（モード５）を実施している場合に、使用要求入力スイッチ７６により入力された第２のマップ使用要求信号を有効とするよう制御する。
【００３１】
さらに、モータ制御手段２６は、第２のマップ使用条件の成立が設定回数以上となった場合に、第２のマップ使用要求信号を無効とするよう制御する。
【００３２】
即ち、このモータ８のアシスト制御装置２４は、エンジン２の高負荷運転時（特にスロットルバルブ全開時）にモータ８によるエンジン２のアシストを継続的にかけないシステムであって、エンジン２が連続的に高負荷運転されているときに、運転者が手動操作により意図的にモータ８を駆動してアシストするように制御することにより、主電池管理部５２により主電池４４の消耗を抑えつつ、許容範囲において必要時にモータ駆動部４８によるモータ８の駆動を得て、エンジン２をアシストし得て、スムーズな運転を実現しようとするものである。
【００３３】
このアシスト制御装置２４は、共通マップ制御（モード５）における第１のマップ及び第２のマップの各々の領域を分割して駆動運転指令値及び発電運転指令値であるトルク指令値を設定する。第１のマップは発電を主として設定し、第２のマップは駆動を主として設定する。
【００３４】
アシスト制御装置２４は、第１のマップを基本として、第２のマップを重ねて検索する。基本的には、第２のマップの値を最初に検索し、第１のマップの値に収束させる。外部入力として運転者の手動操作による第２のマップの使用要求信号が入力されると、第２のマップの現在の検索点の値を起動させ、以降は正規ルーチンに従って第１のマップに収束させる。
【００３５】
以上によって、アシスト制御装置２４は、十分な発電領域を確保しつつ、一定量のアクセルペダルの踏込みに応じてモータ８に駆動トルクを発生させ、あたかも非同期的（加速補正的）な動作を行わせることができ、加えて、高負荷時のマニュアルアシストが可能となり、ドライバビリティを向上することができる。
【００３６】
詳述すると、このモータ８のアシスト制御装置２４は、共通マップ制御（モード５）において第１のマップを使用してモータ８の発電運転を制御している際に、エンジン２のアシストが必要になった場合に、モータ８を強制的に駆動運転するよう制御するものである。
【００３７】
アシスト制御装置２４は、共通マップ制御（モード５）の実施中に、使用要求入力スイッチ７６により第２のマップ使用要求信号が入力された場合に、第１のマップから第２のマップの使用に強制的に切換えて、第２のマップにより駆動運転指令値（トルク指定値）を検索してモータ８を駆動運転し、エンジン２をアシストするようマニュアルアシスト制御（モード１１）する。
【００３８】
このとき、アシスト制御装置２４は、第１のマップによるマップ検索の負荷軸格子点、エンジン回転数格子点はそのままの位置とし、第２のマップによる検索に切換える。モータ８の駆動運転開始後の減衰制御による減衰開始時間や減衰傾き等に関しては、従来の第２のマップによる検束開始後の処理と同様とする。
【００３９】
第１のマップによる検索から第２のマップによる検索への切換えは、使用要求入力スイッチ７６の手動によるＯＮ操作（第２のマップ使用要求信号の入力）により強制的に実施される。但し、第２のマップ使用条件を設定し、使用要求入力スイッチ７６のＯＮ操作による有効範囲を設定する。
【００４０】
前記第２のマップ使用条件は、前記使用要求入力スイッチ７６のＯＮ操作を含み、共通マップ制御（モード５）における第１のマップの検索中であること、アクセルペダル踏込み量（スロットル開度）≧設定値（＃Ｔｈｒ）であること、負荷軸検索格子点≧設定値（＃ＭＡＰＬＩＮＥ）であること、起動禁止フラグがクリアされていること、を設定している。
【００４１】
アシスト制御装置２４は、第２のマップ使用条件の成立により第２のマップの検索、モータ８の駆動制御、減衰制御を実行するが、条件成立後の動作は通常の共通マップ制御（モード５）における第２のマップの検索と同様の処理を行う。
【００４２】
また、アシスト制御装置２４は、第２のマップ使用条件が成立すると、第２のマップの検索によるハードウエア駆動要求カウンタである起動禁止フラグセット用カウンタをインクリメント（増加）する。この起動禁止フラグセット用カウンタは、アシスト制御装置２４の電源投入後、及び共通マップ制御（モード５）の解除時（共通マップ制御終了時）にクリアされる。
【００４３】
前記起動禁止フラグは、第２のマップの検索によるハードウエア駆動要求動作を制限するものであり、第２のマップ使用条件の成立が設定回数（例えば、２回）以上となった場合にセットされ、共通マップ制御（モード５）の解除（共通マップ制御終了）によりクリアされる。
【００４４】
次に、この実施例の作用を説明する。
【００４５】
ハイブリッド車両に搭載されたモータ８のアシスト制御装置２４は、図１に示す如く、モータ制御手段２６によって、制御がスタートすると（１００）、共通マップ制御（モード５）が解除されたか否かを判断する（１０２）。
【００４６】
この判断（１０２）がＹＥＳの場合は、起動禁止フラグをクリアし（１０４）、リターンする（１０６）。この判断（１０２）がＮＯの場合は、使用要求入力スイッチ２６がＯＮ操作されて第２のマップ使用要求信号が入力されたか否かを判断し（１０８）、第１のマップを検索中であるか否かを判断し（１１０）、アクセルセンサ６８の検出するスロットル開度が設定開度以上（スロットル開度≧＃Ｔｈｒ）であるか否かを判断し（１１２）、マップ検索による負荷軸格子点が設定値以上（負荷軸検索格子点≧＃ＭＡＰＬＩＮＥ）であるかを判断する（１１４）。
【００４７】
前記アクセルセンサ６８の検出するスロットル開度が設定開度以上（スロットル開度≧＃Ｔｈｒ）であるか否かの判断（１１２）、及びマップ検索による負荷軸格子点が設定値以上（負荷軸検索格子点≧＃ＭＡＰＬＩＮＥ）であるかの判断は、共通マップ制御の加速アシスト制御（モード５）を実施しているエンジン２の高負荷運転時（スロットルバルブの全開時）に、マニュアルアシスト制御（モード１１）によるアシストが必要であるかどうかを判定するものである。
【００４８】
前記判断（１０８）〜（１１４）のすべてがＹＥＳの場合は、起動禁止フラグがセットされたか否を判断する（１１６）。
【００４９】
この判断（１１６）がＹＥＳの場合は、リターンする（１０６）。この判断（１１６）がＮＯの場合は、共通マップ制御（モード５）による第２のマップの検索を実行し（１１８）、検索された駆動運転指令値にしたがいマニュアルアシスト制御によりモータ８を駆動運転してエンジン２をアシストし、起動禁止フラグセット用カウンタをアップ（増加）し（１２０）、起動禁止フラグセット用カウンタのカウント値が設定値未満（カウント値＜＃ＣＮＴ）であるか否かを判断する（１２２）。
【００５０】
この判断（１２２）がＹＥＳの場合は、リターンする（１２４）。この判断（１２２）がＮＯの場合は、起動禁止フラグをセットし（１２６）、リターンする（１２８）。
【００５１】
一方、前記判断（１０８）〜（１１４）のいずれか１つがＮＯの場合は、リターンする（１２４）。
【００５２】
このように、モータ８のアシスト制御装置２４は、モータ制御手段２６によって、ハイブリッド車両の運転状態及びエンジン２の運転状態に基づきモータ８を駆動運転及び発電運転するよう制御し、使用要求入力スイッチ７６により第２のマップ使用要求信号が入力されて第２のマップ使用条件が成立する場合に、第２のマップの使用に切換えてモータ８を駆動運転するよう制御する。
【００５３】
これにより、アシスト制御装置２４は、ハイブリッド車両の走行中に、モータ８に電源を供給する主電池４４の消費を第１のマップの使用による発電運転により抑制しつつ、第２のマップ使用条件の成立範囲において第２のマップを使用して運転者の意志に基づくモータ８によるエンジン２のアシストを実現することができ、また、既存の共通マップ制御用の第１・第２のマップを利用して運転者の意志に基づくモータ８によるアシストを実現することができる。
【００５４】
このため、このモータ８のアシスト制御装置２４は、運転者の手動操作により自分の意志に基づいた加速が可能になり、ハイブリッド車両の走行中に運転者の意志に基づくスムーズな加速を実現し得て、ドライバビリティを向上することができ、また、既存の第１・第２のマップを使用しているため、専用のマップを不要にし得て、システムの簡素化に寄与し得るものである。
【００５５】
また、このアシスト制御装置２４は、ハイブリッド車両の走行中に加速アシスト制御（モード５）を実施している場合に、使用要求入力スイッチ７６により入力された第２のマップ使用要求信号を有効とするよう制御することにより、必要性を感じるモードでのみ使用可能なため、使用要求入力スイッチ７６の乱用を防いで主電池４４の寿命を延長することができ、電池寿命の延長によりシステム全体の信頼性を向上することができ、商品性を向上することができる。
【００５６】
さらに、このアシスト制御装置２４は、第２のマップ使用条件の成立が設定回数以上となった場合に、第２のマップ使用要求信号を無効とするよう制御することにより、運転者の手動操作によるモータ８のアシストに一定の制限を設けたため、電池の過度の放電を回避し得て、電池寿命を延長することができる。
【００５７】
さらにまた、このアシスト制御装置２４は、エンジン２とモータ８との組み合わせの自由度を向上し得て、２重マップにより従来駆動指令しか設定できなかった領域を発電領域とすることができ、駆動指令の利用域を別途設定できくるようになり、非同期的動作が可能になる。
【００５８】
なお、この発明は、上述実施例に限定されるものではなく、種々応用改変が可能である。例えば、上述実施例においては、スロットル開度が設定開度以上（スロットル開度≧＃Ｔｈｒ）である場合に第２のマップを使用してモータ８を駆動運転したが、スロットル開度の時間変化率に応じてモータ８の駆動状態を変化させ、運転状態に応じてアシスト量を増減させることにより、運転者のアクセルペダル踏込み状態に応じたアシスト量を得ることができる。
【００５９】
【発明の効果】
このよう、この発明の車両用モータアシスト制御装置は、ハイブリッド車両の走行中に、車両用モータに電源を供給する主電池の消費を発電運転により抑制しつつ、運転者の意志に基づく車両用モータによるエンジンのアシストを実現することができ、また、既存の制御用のマップを利用して運転者の意志に基づく車両用モータによるアシストを実現することができ、さらに、運転者の手動操作による車両用モータのアシストに一定の制限を設けたため、主電池の過度の放電を回避することができる。
【００６０】
このため、この車両用モータアシスト制御装置は、ハイブリッド車両の走行中に運転者の意志に基づくスムーズな加速を実現し得て、ドライバビリティを向上し得て、また、専用のマップを不要にし得て、システムの簡素化に寄与し得て、さらに、電池寿命を延長することができる。
【図面の簡単な説明】
【図１】この発明の実施例を示す車両用モータアシスト制御装置の制御フローチャートである。
【図２】使用要求入力スイッチを接続したモータ制御手段の概略構成図である。
【図３】使用要求入力スイッチのＯＮ・ＯＦＦ操作による信号の説明図である。
【図４】車両用モータアシスト制御装置のシステム構成図である。
【図５】モータ制御手段の概略構成図である。
【図６】制御状態の遷移を示す図である。
【符号の説明】
２  エンジン
４  クラッチ
６  トランスミッション
８  モータ
２６  エンジン制御手段
２４  アシスト制御装置
２６  モータ制御手段
４４  主電池
７６  使用要求入力スイッチ
【図１】
0003666736.tif 000002
【図２】
0003666736.tif 000003
【図３】
0003666736.tif 000004
【図４】
0003666736.tif 000005
【図５】
0003666736.tif 000006
【図６】
0003666736.tif 000007